(57)【要約】【課題】複数列のビート畦列を同時に掘り取るビートハーベスタにおいて、畦間の円盤型コールターを利用して茎葉等の異物を隙間なく排除し、複数ビート畦列の各々の掘り取り口間に異物が詰まらないようにすることにある。【解決手段】複数ビート列を同時に掘り取る掘り取り口を有し、この掘り取り口の前方にビート列のビート茎葉・土砂を横方向へ排除する回転駆動クリーナーを設けた複数列掘り取り用ビートハーベスタにおいて、該回転駆動クリーナー前方の車台フレーム下方に回転可能に設けた左右対の円盤状コールターを、各々のコールター下辺が直線状または千鳥足状に接地するように軸支点前後位置をずらし、且つ、左右のコールターの外側円盤面が相互に上方及び後方へ向けて開いた複合傾斜面を構成するように配設する。【選択図】図４
2014050347.tif 000002
【特許請求の範囲】
【請求項１】
ビートタンクを搭載した牽引車台フレームの下方に複数のビート列を同時に掘り取る掘り取り口を有し、この掘り取り口の前方にビート列のビート茎葉・土砂を横方向へ排除する回転駆動クリーナーを設けた複数列掘り取り用ビートハーベスタにおいて、該回転駆動クリーナー前方の車台フレーム下方に回転可能に設けた左右対の円盤状コールターを、各々のコールター下辺が直線状または千鳥足状に接地するように軸支点前後位置をずらし、且つ、左右のコールターの外側円盤面が相互に上方及び後方へ向けて開いた複合傾斜面を構成するように配設したことを特徴とする複数ビート畦列掘り取りハーベスタにおけるコールターによるビート畦列間の異物排除機構
【発明の詳細な説明】
【技術分野】
【０００１】
本発明はトラクタ等に牽引される車台フレーム上方に収穫ビートタンクを設け、車台フレーム下方に複数畦列のビートを同時に掘り上げて前記ビートタンクに揚送するビートハーベスタに関し、詳細には、クリーナー前方のコールターを利用してビート畦列間の茎葉・土砂等の異物を押し分けながら排除するようにしたビートハーベスタ―の改良に関する。
【背景技術】
【０００２】
トラクタに牽引されるビートハーベスタは前進走行の過程で車台フレーム後方の掘り取り口からビートを掘り取り、車台フレーム後方のチェーンコンベア、回転揚送機などを介して車台上のビートタンクに投入するものであるが、掘り取りの際に茎葉や土塊等の異物を取り込むと詰まりが生じトラブルになる。このため、畦のビート廻りの異物をゴム製などの弾性回転クリーナーで払いのけながら掘り取り作業が行われる。この場合、単一ビート列を掘り取る装置においては問題がないが、複数ビート畦列を同時に掘り取るハーベスタにおいては中央部分の畔列間に異物が残存するため詰まりのトラブルは生ずる。
【０００３】
米国特許No.4219055号公報に示されているように、横回転クリーナーの前方に各畦のビート頭部廻りに接触する縦回転の動力チョッパーを設けて茎葉等の異物を粉砕するビートハーベスタが知られているが、この方式ではチョッパーと回転動力を必要とするため構造の複雑化、コスト高が免れず、また、本体重量の増加により作業速度・作業効率が低下する。
【０００４】
特開平11-225526号公報には、２列のビート畦列A,Bを左右掘取刃6,7で同時に掘り取るビートハーベスタが示されている。このものは台車フレームの斜め右側方に側方茎葉クリーナーを設け、ビート列A,Bの掘り取りと同時に次の走行掘り取り対象となる隣のビート畦列Cの茎葉を予め排除しておき、実際の掘り取り走行時は１列の茎葉を排除するだけで済むようにしている。したがって、側方茎葉クリーナーを別途に設ける必要があるので部品が増え、製造コストも高くなる。
【先行技術文献】
【特許文献】
【０００５】
【特許文献１】米国特許No.4219055号公報
【特許文献２】特開平11-225526号公報
【発明の概要】
【発明が解決しようとする課題】
【０００６】
本発明の課題は、複数列のビート畦列を同時に掘り取るビートハーベスタにおいて、畦間の円盤型コールターを利用して茎葉等の異物を隙間なく排除し、複数ビート畦列の各々の掘り取り口間に異物が詰まらないようにすることにある。
【課題を解決するための手段】
【０００７】
上記課題を解決するために本発明は、ビートタンクを搭載した牽引車台フレームの下方に複数のビート列を同時に掘り取る掘り取り口を有し、この掘り取り口の前方にビート列のビート茎葉・土砂を横方向へ排除する横回転クリーナーを設けた複数列掘り取り用ビートハーベスタにおいて、該横回転クリーナー前方の車台フレーム下方に回転可能に設けた左右対の円盤状コールターを、各々のコールター下辺が直線状または千鳥足状に接地するように軸支点前後位置をずらし、且つ、左右のコールターの外側円盤面が各々上方及び後方へ向けて開いた複合傾斜面を構成するように配設したことを特徴とする。
【発明の効果】
【０００８】
本発明は、横回転クリーナー前方の車台フレーム下方に設けた左右対の回転円盤状コールターを、各々のコールター下辺が直線状または千鳥足状に接地するように軸支点位置を前後に若干ずらし、左右コールター間に排除作用死点が生じないように配設したので、ビートハーベスタの前進走行に伴い畦間の茎葉・土砂が余すところなく左右に押し分けられると同時に、左右のコールターの外側円盤面が各々上方及び後方へ向けて開いた複合傾斜面を構成しているので、押し分けられた茎葉・土砂が前進する左右コールターの複合傾斜面により畦の斜面に沿って畦の頭頂方向へ迫り上げられ、後続の左右外側横回転クリーナーより掘り取り領域の左右外側に吹き飛ばされることにより、複数列畦間の茎葉や土壌が効率良く排除される。
【図面の簡単な説明】
【０００９】
【図１】本発明によるビートハーベスタの斜視図
【図２】図１実施例によるビートハーベスタの要部作用説明図
【図３】図１実施例によるビートハーベスタの要部作用説明図
【図４】コールターと横回転クリーナーのアセンブリ斜視図
【図５】図４の右側面図
【図６】図４のコールター取付け詳細説明図
【発明を実施するための形態】
【００１０】
以下、本発明の好ましい実施態様を添付の図面に基づいて説明する。
図１は本発明を実施したビートハーベスタの全体斜視図を示すもので、一般に、トラクタ等によって矢印方向へ牽引されながら畦列のビートを収穫するビートハーベスタ１は、ビート収容タンク２を搭載した車台フレーム３下方の支持機構にビート掘り取り口４を設け、その後方に連設したチェーンコンベア５と回転揚送機６を介して掘り上げたビートをビート収容タンク２に投入するように構成されている。
【００１１】
図の実施例のヒートハーベスタ１は前進走行により２列のビート畦列を同時に掘り取る複数列収穫式ビートハーベスタを例示するもので、このため、図２に示すように、車台フレーム３下方の掘り取り口４として左右の２列ビート畦列７ａ、７ｂの各々に対応する２組の掘り取り口４ａ、４ｂを具備するとともに、図２、図３、図４に示すように、掘り取り口４ａ、４ｂの前方に、左右対の外側クリーナー８ａと内側クリーナー８ｂを１組とした左右の横回転駆動クリーナー９ａ、９ｂが各掘り取り口４ａ、４ｂに対応して設けられており、さらに、前記左右の横回転駆動クリーナー９ａ、９ｂの前方のビート畦列７ａ、７ｂ間中央部に向けて所定弾圧力で接地する左右コールター１０ａ、１０ｂを、各々のコールター下辺が直線状または千鳥足状に接地するように軸支点位置を前後にずらして取付け、且つ、左右コールター１０ａ、１０ｂの外側対向面がそれぞれ上方外側及び後方外側へ向けて相互に開いた複合傾斜面を構成するように配設されている。
なお、図において、符号１１はビート、符号１２は茎葉である。
【００１２】
図４、図５は前記左右対の横回転駆動コールター９ａ、９ｂ及び左右コールター１０ａ、１０ｂを共通の取付けブラケット１３に一体の組立体に結合したもので、車台フレーム３に固定する取付けブラケット１３の下端基盤１４にクリーナー回転駆動機構（図は省略）を内蔵させたクリーナー支持装置１５を結合し、このクリーナー支持装置１５の一側に一方のビート畦列７ａ用横回転駆動クリーナー９ａの外側クリーナー８ａと内側クリーナー８ｂを回転駆動可能に装着してクリーナー支持装置１５のケース前面に突出させるとともに、クリーナー支持装置１５の他側に他方のビート畦列７ｂ用横回転駆動クリーナー９ｂの外側クリーナー８ａと内側クリーナー８ｂを回転駆動可能に装着して前記ケース後面に突出させてある。
【００１３】
他方、前記取付けブラケット１３の下端基盤１４に前記横回転駆動クリーナー９ａ、９ｂの中央前方、すなわち、ビート畦列７ａ、７ｂの中間に向けて延びるアーム１６を結合し、このアーム１６の先端に、バネ１７により弾力支持された四点リンク１８が連結されているとともに、四点リンク１８の上下可動支柱１９に前記左右対のコールター１０ａ、１０ｂを回転可能に枢着するためのコールターステー２０（図６参照）が一体に装着されている。
なお、符号２５は横回転駆動クリーナー９ａ、９ｂのカバーである。
【００１４】
図６に示すように、コールター１０ａ、１０ｂを回転可能に装着するコールターステー２０は、四点リンク１８の上下可動支柱１９に勘合して結合する支柱２１の下端に逆三角形の立体形ベース部材２２を固設してなり、該立体形ベース部材２２は、前方中央に向けた左右側面を下方に傾斜させるとともに、左右の傾斜面にコールター１０ａ、１０ｂを取付ける支点孔２３ａ、２３ｂを前後に若干位置をずらせて設けてある。
コールター１０ａ、１０ｂは前記立体形ベース部材２２の左右傾斜面に沿って当接し、前後に位置をずらせた支点孔２３ａ、２３ｂにピン２４を介して回転可能に結合されている。
左右コールター１０ａ，１０ｂの前後接地下辺が進行方向へ向けて直線状に並ぶか若しくは前後接地下辺が内側に交錯した千鳥足状に配置されて互いに上方外側へ開くとともに、左右コールター１０ａ、１０ｂの外側面がるように設定されている。
【００１５】
なお、前記立体形ベース部材２２に形成した左右側面の傾斜角度及び支点孔２３ａ、２３ｂの前後間隔は、左右コールター１０ａ、１０ｂの回転軌道下辺が前後に直線状又はジグザグ千鳥足状に交差し、回転軌道上辺が上方に向けて開き、さらに、回転軌道後辺が後方に向けて開くように設定され、これにより回転支支点を前後に千鳥状にずらせた左右コールター１０ａ、１０ｂが相互に上方及び後方へ開いた複合傾斜面を形成するように構成されている。
【００１６】
左右コールター１０ａ、１０ｂの上辺は畦条のビート列頂部よりも高い位置に延在するように設定されているので、ハーベスタ１の前進走行により、ビート畦列７ａ、７ｂ間の茎葉・土砂等は左右コールター１０ａ、１０ｂの先端側縁辺で左右に隙間なく押し分けながら左右コールター１０ａ、１０ｂ相互の複合傾斜面により左右ビート畦列の頂部まで押し上げられた後、後続の外側クリーナー８ａによりビート畦列７ａ、７ｂの外側に振り落とされて排除される。
この場合、後続の内側クリーナー８ｂは畦間の異物除去機能としては必ずしも必須のものではない。
【００１７】
図４のように左右コールター１０ａ、１０ｂ及び左右クリーナー群を取付けブラケット１３に一体のアセンブリに組み付けた場合は、取付けブラケット１３の上部を車台フレーム下方に結合するだけで茎葉排除部材の取付が完了する。
【産業上の利用可能性】
【００１８】
本発明は部品、重量を増やさず、コールターの配列だけで複数ビート畦列間の茎葉・土砂等を排除することができるので、異物によるトラブルを防止し、ビート収穫の作業効率が向上する。
【符号の説明】
【００１９】
１…ビートハーベスタ
２…ビート収容タンク
３…車台フレーム
４、４ａ、４ｂ…掘り取り口
５…チェーンコンベア
６…回転揚送機
７ａ、７ｂ…ビート畦列
８ａ…外側クリーナー
８ｂ…内側クリーナー
９ａ、９ｂ…横回転駆動クリーナー
１０ａ、１０ｂ…コールター
１１…ビート
１２…茎葉
１３…取付けブラケット
１４…基盤
１５…クリーナー支持装置
１６…アーム
１７…バネ
１８…四点リンク
１９…可動支柱
２０…コールターステー
２１…支柱
２２…ベース部材
２３ａ、２３ｂ…支点孔
２４…ピン
２５…カバー
【図１】
2014050347.tif 000003
【図２】
2014050347.tif 000004
【図３】
2014050347.tif 000005
【図４】
2014050347.tif 000006
【図５】
2014050347.tif 000007
【図６】
2014050347.tif 000008
【手続補正書】
【提出日】平成24年11月12日(2012.11.12)
【手続補正１】
【補正対象書類名】特許請求の範囲
【補正対象項目名】請求項１
【補正方法】変更
【補正の内容】
【請求項１】
ビートタンクを搭載した牽引車台フレームの下方に複数のビート畦列に対応して設けられた掘り取り口と、これら掘り取り口の前方の車台フレームに支持され、ビート畦列間のビート茎葉・土砂を横方向へ排除する回転駆動クリーナーと、該回転駆動クリーナー前方の車台フレームに前記ビート畦列間の地面に向けて回転可能に支持された左右対の円盤状コールターを具備し、前記左右対の円盤状コールターを、その円盤下部縁辺が畦列間の地面に千鳥足状又は直線状に接地するように軸支点位置を前後にずらせて前進方向へ向けて略八の字状に配置し、且つ、各々の円盤状コールターの前面上部を相対する左右ビート畦列の側面側へ向けて傾斜させたことを特徴とする複数ビート畦列掘り取りハーベスタのビート畦列間異物排除機構
【手続補正３】
【補正対象書類名】明細書
【補正対象項目名】０００３
【補正方法】変更
【補正の内容】
【０００３】
米国特許No.4219085号公報に示されているように、横回転クリーナーの前方に各畦のビート頭部廻りに接触する縦回転の動力チョッパーを設けて茎葉等の異物を粉砕するビートハーベスタが知られているが、この方式ではチョッパーと回転動力を必要とするため構造の複雑化、コスト高が免れず、また、本体重量の増加により作業速度・作業効率が低下する。
【手続補正４】
【補正対象書類名】明細書
【補正対象項目名】０００５
【補正方法】変更
【補正の内容】
【０００５】
【特許文献１】米国特許No.4219085号公報
【特許文献２】特開平11-225526号公報
【手続補正５】
【補正対象書類名】明細書
【補正対象項目名】０００７
【補正方法】変更
【補正の内容】
【０００７】
上記課題を解決するために本発明による複数ビート畦列掘り取りハーベスタのビート畦列間異物排除機構は、ビートタンクを搭載した牽引車台フレームの下方に複数のビート畦列に対応して設けられた掘り取り口と、これら掘り取り口の前方の車台フレームに支持され、ビート畦列間のビート茎葉・土砂を横方向へ排除する回転駆動クリーナーと、該回転駆動クリーナー前方の車台フレームに前記ビート畦列間の地面に向けて回転可能に支持された左右対の円盤状コールターを具備し、前記左右対の円盤状コールターを、その円盤下部縁辺が畦列間の地面に千鳥足状又は直線状に接地するように軸支点位置を前後にずらせて前進方向へ向けて略八の字状に配置し、且つ、各々の円盤状コールターの前面上部を相対する左右ビート畦列の側面側へ傾斜させたことを特徴とする。
【手続補正６】
【補正対象書類名】明細書
【補正対象項目名】０００８
【補正方法】変更
【補正の内容】
【０００８】
本発明は、横回転クリーナー前方の車台フレーム下方に設けた左右対の回転円盤状コールターを、各々のコールター下辺が直線状または千鳥足状に接地するように軸支点位置を前後に若干ずらし、左右コールター間に排除作用死点が生じないように配設したので、ビートハーベスタの前進走行に伴い畦間の茎葉・土砂が余すところなく左右に押し分けられると同時に、左右のコールターの外側円盤面が各々上方及び後方へ向けて開いた複合傾斜面、すなわち、左右ビート畦列の相対する側面に向けて傾斜させた複合傾斜面を構成しているので、押し分けられた茎葉・土砂が前進する左右コールターの複合傾斜面により畦の斜面に沿って畦の頭頂方向へ迫り上げられ、後続の左右外側横回転クリーナーより掘り取り領域の左右外側に吹き飛ばされることにより、複数列畦間の茎葉や土壌が効率良く排除される。
【手続補正７】
【補正対象書類名】明細書
【補正対象項目名】００１１
【補正方法】変更
【補正の内容】
【００１１】
図の実施例のヒートハーベスタ１は前進走行により２列のビート畦列を同時に掘り取る複数列収穫式ビートハーベスタを例示するもので、このため、図２に示すように、車台フレーム３下方の掘り取り口４として左右の２列ビート畦列７ａ、７ｂの各々に対応する２組の掘り取り口４ａ、４ｂを具備するとともに、図２、図３、図４に示すように、掘り取り口４ａ、４ｂの前方に、左右対の外側クリーナー８ａと内側クリーナー８ｂを１組とした左右の横回転駆動クリーナー９ａ、９ｂが各掘り取り口４ａ、４ｂに対応して設けられており、さらに、前記左右の横回転駆動クリーナー９ａ、９ｂの前方のビート畦列７ａ、７ｂ間中央部に向けて所定弾圧力で接地する円盤状の左右コールター１０ａ、１０ｂが設けられている。
各円盤状コールター１０ａ、１０ｂは、その下部縁辺が前後に千鳥足状又は直線状に接地するように軸支点位置を前後にずらして取付けるとともに、相対する左右の円盤状コールター１０ａ、１０ｂが後方へ向けて略八の字状に拡張し、且つ、該円盤状左右コールター１０ａ、１０ｂの各々の前面(前進方向面)上部が左右ビート畦列の相対する側面に傾斜する複合傾斜面を構成するように配設されている。
なお、図において、符号１１はビート、符号１２は茎葉である。
【手続補正８】
【補正対象書類名】明細書
【補正対象項目名】００１４
【補正方法】変更
【補正の内容】
【００１４】
図４及び図６に示すように、コールター１０ａ、１０ｂを回転可能に装着するコールターステー２０は、四点リンク１８の上下可動支柱１９に勘合して結合する支柱２１の下端に逆三角形の立体形ベース部材２２を固設してなり、該立体形ベース部材２２は、前方中央に向けた左右側面を下方に傾斜させるとともに、左右の傾斜面にコールター１０ａ、１０ｂを取付ける支点孔２３ａ、２３ｂを前後に若干位置をずらせて設けてある。
コールター１０ａ、１０ｂは前記立体形ベース部材２２の左右傾斜面に沿って当接し、前後に位置をずらせた支点孔２３ａ、２３ｂにピン２４を介して回転可能に結合されている。
上記の構成により、左右コールター１０ａ、１０ｂの下部縁辺が前後に千鳥足状又は直線状に接地するとともに、相対するコールター１０ａ、１０ｂの後面が後方へ向けて略八の字状に開き、且つ、前面上部が左右ビート畦列の相対する側面に向けて傾斜した状態で前進するように構成されている。
【手続補正９】
【補正対象書類名】明細書
【補正対象項目名】００１５
【補正方法】削除
【補正の内容】